(57)【要約】【課題】正面視したときに撮影レンズが大きく、外観品位が高められたカメラを提供する。【解決手段】鏡筒部３２には、第１レンズ３０と第２レンズ３１と絞り板３３が組み込まれている。外装カバー１０、化粧板１０ａにそれぞれ第１レンズ開口１１と第２レンズ開口１３と形成されている。第１レンズ３０は、有効口径よりも直径が大きい曲面部３０ａとその周辺のフランジ部３０ｂとからなる。第１レンズ開口１１及び第２レンズ開口１３は、カメラの撮影画角に応じて第１レンズ３０からそれぞれ一定距離Ｌ１，Ｌ２、一定の開口径φ３，φ４に形成されており、カメラを正面視したときに、第１レンズ３０の曲面部３０ａとフランジ部３０ｂとを観察することができる。【選択図】        図７
2004302002.tif 000002
【特許請求の範囲】
【請求項１】
撮影機構が設けられたカメラ基部に撮影レンズを保持する鏡筒部が形成され、前記カメラ基部を外装カバーで覆ったカメラにおいて、
前記撮影レンズは、その直径が有効口径よりも大きく形成されており、前記外装カバーには、前記鏡筒部に保持された撮影レンズを露呈させるレンズ開口が形成され、前記レンズ開口は、その開口径と撮影画角に応じた距離だけ撮影レンズから離れた位置に設けられていることを特徴とするカメラ。
【請求項２】
前記撮影レンズは、屈折力を有する中央曲面部と、周辺フランジ部とが一体に形成されたプラスチックレンズからなることを特徴とする請求項１記載のカメラ。
【請求項３】
前記レンズ開口は前記外装カバー上で二重に形成されていることを特徴とする請求項１又は２記載のカメラ。
【発明の詳細な説明】
【０００１】
【発明の属する技術分野】
本発明は、正面から直視したときの撮影レンズを大きくして訴求性を高めたカメラに関するものである。
【０００２】
【従来の技術】
製造コストや大型化が抑えられ、低価格性と携帯性に優れたコンパクトカメラが広く普及している。コンパクトカメラの中には、ピント調節機構を省略することで大幅なコストダウンとコンパクト化が可能な固定焦点カメラが知られており、固定絞りと一速シャッタによって露出機構を単純化すれば、さらに優れた低価格性を実現することができる。
【０００３】
コンパクトカメラでは、製造コストに比例して外観品位が低下することのないように、色彩や形状などのデザイン性も重要視される。特にカメラ製品では、撮影レンズによってもたらされる高級感がその外観品位を決定づける要素として重要であり、デザイン性に見合った存在感のある撮影レンズが好まれる。しかし、上述した固定焦点カメラではレンズの有効口径が小さく、レンズの直径自体が小さいために、撮影レンズの外観が消費者に与える印象も僅かなものであった。
【０００４】
そこで、本出願人は、撮影レンズの前方にダミーレンズを配置したカメラを提案している（特願２００２−００９４７８号）。このダミーレンズには、結像性能に悪影響を与えることのないように、平行平面板もしくは両曲面の曲率が等しいメニスカスレンズのようにノンパワーの光学部品が使用されており、比較的直径の大きい撮影レンズを備えたカメラと同等な高級感のある印象を消費者に与えるようにしている。
【０００５】
【発明が解決しようとする課題】
しかしながら、撮影光路上に配置されるダミーレンズには、撮影画像に歪みなどが生じることがないように、高精度な平面もしくは曲面に形成される必要があるため、ダミーレンズ自体のコストが高くつくという問題があった。また、外装デザインが複雑な三次元曲面によって構成されたカメラでは、ダミーレンズの取り付けに伴って高度な芯出し精度が要求され、ダミーレンズの取り付けにも手間がかかるという問題があった。
【０００６】
本発明は、上記問題点を考慮してなされたもので、ダミーレンズを使用することなく、撮影レンズの存在感をできるだけ引き出して、コストアップを伴うことなく外観品位を高めることが可能なカメラを提供することを目的とする。
【０００７】
【課題を解決するための手段】
上記目的を達成するために、本発明のカメラは、撮影機構が設けられたカメラ基部に撮影レンズを保持する鏡筒部が形成され、前記カメラ基部を外装カバーで覆ったものであって、有効口径よりも大きい直径を有する撮影レンズを備えており、前記外装カバーには、前記鏡筒部に保持された撮影レンズを露呈させるレンズ開口が形成されるとともに、このレンズ開口がその開口径と撮影画角に応じた距離だけ撮影レンズから離れた位置に設けられていることを特徴とし、カメラを正面視したときに、見た目の直径が大きくなるように撮影レンズを露呈させたものである。
【０００８】
請求項２記載のカメラは、撮影レンズを光学プラスチックの成形品で構成するときに、屈折力を与える中央曲面部と、前記レンズ開口によって撮影画角の範囲外の光が遮られる周辺フランジ部とを一体に形成したものである。固定焦点カメラなどに用いられるプラスチックレンズは、鏡筒部への組み込みを簡単にするためにレンズ周辺にフランジ部が形成されるため、これを外部に露呈させることでカメラを正面視したときに観察される撮影レンズの直径を大きくして外観品位を高めている。
【０００９】
請求項３記載のカメラは、前記レンズ開口を前記外装カバーに二重に形成し、撮影画質を劣化させる画角外からの有害光を外装カバーによって確実に遮断するようにしたものである。
【００１０】
【発明の実施の形態】
図１において、カメラ２は、その輪郭が曲線状に形成されている。前面には撮影レンズ３が露呈され、その周辺にはファインダ４、バリアスイッチ５、フラッシュスイッチ６、ファインダ４に隣接してフラッシュ発光部７が設けられている。カメラ２の上面には、シャッタボタン８と撮影回数を表示するカウンタ表示窓９が設けられている。カメラ２は、シャッタボタン８を操作するときに片手でグリップしやすいように、片方の側面形状が上下ともに窪んでコンパクトに形成されている。
【００１１】
図２において、カメラ２は、撮影機構を有するカメラ基部が外装カバー１０によって前後からそれぞれ覆われて構成されている。外装カバー１０には、撮影レンズ３が露呈される第１レンズ開口１１が形成されている。レンズバリア１２は、バリアスイッチ５の操作によって、第１レンズ開口１１を覆い隠す位置と第１レンズ開口１１から退避する位置との間を移動する。また、外装カバー１０には、バリアスイッチ５の操作に連動して、フラッシュスイッチ６とシャッタボタン８をロックするロック機構が設けられている。
【００１２】
化粧板１０ａは、外装カバー１０の上から取り付けられ、レンズバリア１２と上述したロック機構とを覆い隠す。化粧板１０ａには、第２レンズ開口１３と、バリアスイッチ５及びフラッシュスイッチ６をそれぞれ操作するための開口が形成されている。ファインダ４とフラッシュ発光部７の前面には、透明プラスチックから形成された一体カバー１４が取り付けられる。
【００１３】
図３において、バリアスイッチ５は、スライド板１５に設けられている。スライド板１５は、図中に示すロック方向と解除方向とにスライドする。スライド板１５には、スライド溝１６、クリック突起１７、ロックバー１８、バリア押圧部１９が設けられている。スライド溝１６は、バリアスイッチ５が操作されたときに、スライド板１５の移動方向を外装カバー１０上で規制する。クリック突起１７は外装カバー１０に形成されたクリック溝に係合し、ロック方向と解除方向にそれぞれ移動したスライド板１５をクリック係止する。
【００１４】
ロックバー１８は、スライド板１５がロック方向に移動したとき、フラッシュスイッチ６に一体形成された三角片２０に係合し、フラッシュスイッチ６をロックする。また、ロックバー１８は、フラッシュスイッチ６が上方に移動した状態でスライド板１５がロック方向に移動した時に、三角片２０の斜面を滑ってフラッシュスイッチ６を押し下げる。バリア押圧部１９は、スライド板１５がロック方向に移動したとき、レンズバリア１２の下端部１２ａを押圧してレンズバリア１２を第１レンズ開口１１の上に移動させる。
【００１５】
レンズバリア１２の下端部１２ａには、引っ張りバネ２１の一端が取り付けられる。引っ張りバネ２１の他端は、ロックレバー２２に取り付けられる。ロックレバー２２には、上アーム２２ａと下アーム２２ｂが設けられており、引っ張りバネ２１は下アーム２２ｂに取り付けられる。スライド板１５が解除方向に移動することに伴って下アーム２２ｂが押され、ロックレバー２２が回動する。ロックレバー２２が回動すると、引っ張りバネ２１が伸びてレンズバリア１２が第１レンズ開口１１から退避する。
【００１６】
シフト部材２３は、シャッタボタン８の押圧によって下方にシフトする。シフト部材２３には、作用部２３ａとステップ部２３ｂとが形成されている。作用部２３ａは、シャッタボタン８の操作変位をシャッタ駆動機構に伝達してシャッタレリーズを行わせる。ステップ部２３ｂは、その真下にロックレバー２２の上アーム２２ａが入り込んだときにシフト部材２３の移動を妨害して、シャッタボタン８をロックする。
【００１７】
図４において、一体カバー１４は、ファインダ防塵パネル２５とフラッシュプロテクタ２６とからなる。ファインダ防塵パネル２５は、その表面がカメラ２の水平方向に軸をとった円筒曲面状をしており、その上辺が奥に、下辺が手前に位置するように傾いた形状に構成されている。フラッシュプロテクタ２６には、透過領域２６ａが設けられており、透過領域２６ａはフラッシュ光が透過するフラッシュ照射面２６ｂと赤目防止光が照射される赤目防止光照射面２６ｃとからなる。また、透過領域２６ａの周辺には鏡面領域２６ｄとが形成されている。一体カバー１４は、ファインダ防塵パネル２５とフラッシュプロテクタ２６の連結部位で捻られるように形成されている。これにより、ファインダ防塵パネル２５はカメラ２の外装形状に合わせて取り付けられ、フラッシュプロテクタ２６は被写体に向けて正対するように取り付けられる。
【００１８】
カメラ２の外装表面は三次元自由曲面に形成されており、ファインダ防塵パネル２５は円筒曲面状に形成されている。もしファインダ防塵パネル２５を外装形状と一致する自由曲面状に構成した場合、ファインダ像に歪みが生じないようにパネルの芯出しを高精度に行う必要が生じ、パネルの成形にも精度の高さが要求される。本実施形態は、ファインダ防塵パネル２５を円筒曲面状に形成することで、一体カバー１４の製作、カメラ２への取り付けの両方を簡略化できるようにしている。
【００１９】
図５において、フラッシュプロテクタ２６の内面には、透過領域２６ａを構成する屈折透過面２７ａと、鏡面領域２６ｂを構成する乱反射面２７ｂとが形成されている。屈折透過面２７ａは、円筒面状に形成された複数の凹面が配列されたもので、撮影範囲内にフラッシュ光を拡散する作用をする。一方、乱反射面２７ｂは、ピッチの細かい多数の溝によって外部から入射した光を反射して、フラッシュプロテクタ２６の内側を隠す作用をする。乱反射面２７ｂは、フラッシュプロテクタ２６の内部に金属薄膜を形成した場合と同等な反射作用が得られ、カメラ２の外観品位を高める役割を果たす。
【００２０】
図６において、撮影レンズ３は第１レンズ３０と第２レンズ３１の２枚の正レンズから構成されている。第１レンズ３０と第２レンズ３１は、カメラ基部に形成された鏡筒部３２に嵌め込まれる。第１レンズ３０と第２レンズ３１の間には、絞り板３３が配置される。鏡筒部３２に嵌め込まれた第１レンズ３０、絞り板３３、第２レンズ３１は、押さえリング３４によって鏡筒部３２に保持される。押さえリング３４は、鏡筒部３２の周辺三ヶ所に設けられた固定爪３５に引っ掛けられて固定される。
【００２１】
第１レンズ３０には、屈折力を有する中央の曲面部３０ａと、鏡筒部３２に嵌め込むために曲面部３０ａの周辺に形成されたフランジ部３０ｂとが形成されている。同様に、第２レンズ３１には、曲面部３１ａとフランジ部３１ｂとが形成されている。各レンズのフランジ部３０ｂ，３１ｂには、スペーサとなる環状突起が設けられている。
【００２２】
図７において、第１レンズ３０は、物体側に凸面を有し、像面側に凹面を有するメニスカス形状をしている。第２レンズ３１は、両側凸面に形成されている。押さえリング３４は、その開口径φ１が撮影レンズ３の有効口径φ２よりも大きく、第１レンズ３０の曲面部３０ａの径よりも大きく形成されている。また、第１レンズ開口１１の開口径φ３、第２レンズ開口１３の開口径φ４は、ともに押さえリング３４の開口径φ１、撮影レンズ２の有効口径φ２よりも大きく形成されている。
【００２３】
第１レンズ開口１１と第２レンズ開口１３は、カメラ２の撮影画角に応じて、開口径φ３、φ４と第１レンズ３０の物体側曲面からの距離が決められている。すなわち、半画角をωとし、撮影レンズ３の光軸と上光線との交点を原点にとり、この原点から第１レンズ開口１１までの距離をＬ１，第２レンズ開口１３までの距離をＬ２としたとき、第１レンズ開口１１と第２レンズ開口１３の開口径φ３，φ４はそれぞれ
φ３＝２・Ｌ１・ｔａｎω
φ４＝２・Ｌ２・ｔａｎω
が成立する大きさに形成される。
【００２４】
上記条件式を満たす直角三角形の縦辺の長さが、第１レンズ開口１１と第２レンズ開口１３の各半径の大きさとなり、撮影画角外からの有害光が遮られるようにするための開口径の大きさが決まる。これにより、カメラ２を正面視したときには、押さえリング３４によって露呈される第１レンズ３０の曲面部３０ａとフランジ部３０ｂの一部とが撮影レンズ３の見た目の直径となる。
【００２５】
なお、上記実施形態では、撮影レンズを曲面部とフランジ部とから構成し、カメラを正面視したときに曲面部とフランジ部とが見えるようにして、撮影レンズが大きく観察されるようにしているが、本発明においては、前玉の直径が、その屈折力と絞りの大きさとによって定まる有効口径よりも大きく形成されていれば、撮影レンズにフランジ部を設けず、曲面部のみで構成してもよい。
【００２６】
【発明の効果】
以上のように、本発明のカメラによれば、レンズ直径が有効口径よりも大きく形成された撮影レンズを設けるとともに、レンズ開口をその開口径と撮影画角に応じて決まる距離だけ離して設けたから、カメラを正面視したときに撮影レンズの見た目の直径が大きくでき、さらに、撮影画角の範囲外の光をレンズ開口によって遮断して結像性能に問題のないものとすることができる。これにより、外装カバーと撮影レンズを密着させたカメラよりも、外観品位の向上によって訴求性の高められたカメラを提供することができる。
【図面の簡単な説明】
【図１】カメラの外観斜視図である。
【図２】外装カバーから化粧板を取り外した様子を示す斜視図である。
【図３】レンズバリアとこれに連動したロック機構の分解斜視図である。
【図４】一体カバーの斜視図である。
【図５】フラッシュプロテクタの断面図である。
【図６】鏡筒部周辺の分解斜視図である。
【図７】撮影レンズ周辺の側断面図である。
【符号の説明】
２  カメラ
３  撮影レンズ
４  ファインダ
５  バリアスイッチ
６  フラッシュスイッチ
７  フラッシュ発光部
８  シャッタボタン
１０  外装カバー
１０ａ  化粧板
１１  第１レンズ開口
１２  レンズバリア
１３  第２レンズ開口
１４  一体カバー
１５  スライド板
１８  ロックバー
２０  三角片
２１  引っ張りバネ
２２  ロックレバー
２３  シフト部材
２５  ファインダ防塵パネル
２６  フラッシュプロテクタ
２６ａ  透過領域
２６ｄ  鏡面領域
２７ａ  屈折透過面
２７ｂ  乱反射面
３０  第１レンズ
３０ａ，３１ａ  曲面部
３０ｂ  フランジ部
３１  第２レンズ
３２  鏡筒部
【図１】
2004302002.tif 000003
【図２】
2004302002.tif 000004
【図３】
2004302002.tif 000005
【図４】
2004302002.tif 000006
【図５】
2004302002.tif 000007
【図６】
2004302002.tif 000008
【図７】
2004302002.tif 000009